【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
空間多重送信された複数のＯＦＤＭ信号を受信するＭＩＭＯ受信装置であって、
前記複数のＯＦＤＭ信号の各々は、リファレンスシンボルが配置されたプリアンブル区間と、特定のキャリア位置にパイロットシンボルが配置されたデータ送信区間とを含むフレーム構成を有するものであり、
前記複数のＯＦＤＭ信号を受信する複数のアンテナと、
前記複数のＯＦＤＭ信号の各々に含まれる前記リファレンスシンボルを用いて、各伝送路の伝送路変動を推定し、各伝送路の伝送路変動推定信号を生成する伝送路変動推定部と、
前記複数のＯＦＤＭ信号の各々に含まれる前記パイロットシンボルを用いて、位相歪み推定信号を生成する位相歪み推定部と、
前記位相歪み推定信号を用いて、前記各伝送路の伝送路変動推定信号の位相歪みを補償するとともに、前記複数のＯＦＤＭ信号の各々の位相歪みを補償する位相歪み補償部と、
前記位相歪み補償部により位相補償された前記各伝送路の伝送路変動推定信号を要素とする行列を用いて、前記位相歪み補償部により位相補償された前記複数のＯＦＤＭ信号に対し、逆行列演算することにより、前記複数のＯＦＤＭ信号に対応する複数のベースバンド信号を生成する信号処理部と、
前記パイロットシンボルを用いて、前記複数のベースバンド信号の各々の周波数オフセットを推定し補償を行う周波数オフセット補償部と、
前記周波数オフセット補償部により周波数オフセットの補償が行われた前記複数のベースバンド信号を復調し、受信データを出力する復調部と、
を具備するＭＩＭＯ受信装置。
【請求項２】
前記パイロットシンボルは、前記データ送信区間の特定のキャリア位置に時間軸方向に連続して配置されており、
前記位相歪み推定部は、時間軸方向に変動する位相歪み推定信号を生成するものである、
請求項１記載のＭＩＭＯ受信装置。
【請求項３】
前記位相歪み推定信号は、周波数オフセットを含む位相歪みを示す信号である、
請求項２記載のＭＩＭＯ受信装置。
【請求項４】
プリアンブル区間は、前記リファレンスシンボルと、ＩＱ平面におけるＩ値及びＱ値がともにゼロであるガードシンボルとが、時間軸方向及び周波数軸方向に交互に配置されたものである、
請求項１乃至３いずれか一項に記載のＭＩＭＯ受信装置。
【請求項５】
前記複数のＯＦＤＭ信号は第１のＯＦＤＭ信号と第２のＯＦＤＭ信号を含み、
前記第１のＯＦＤＭ信号のプリアンブル区間において前記リファレンスシンボルが配置されている時間―周波数位置では、第２のＯＦＤＭ信号のプリアンブル区間において、ＩＱ平面におけるＩ値及びＱ値がゼロであるガードシンボルが配置されている、
請求項１乃至４いずれか一項に記載のＭＩＭＯ受信装置。
【請求項６】
前記パイロットシンボルが配置されるパイロットキャリアのキャリア位置は、前記複数のＯＦＤＭ信号の間で共通している、
請求項１乃至５いずれか一項に記載のＭＩＭＯ受信装置。
【請求項７】
前記複数のＯＦＤＭ信号の各々は、複数のパイロットキャリアを有し、前記複数のパイロットキャリアのキャリア位置は、前記複数のＯＦＤＭ信号の間で共通している、
請求項１乃至５いずれか一項に記載のＭＩＭＯ受信装置。
【請求項８】
空間多重送信された複数のＯＦＤＭ信号を受信するＭＩＭＯ受信方法であって、
前記複数のＯＦＤＭ信号の各々は、リファレンスシンボルが配置されたプリアンブル区間と、特定のキャリア位置にパイロットシンボルが配置されたデータ送信区間とを含むフレーム構成を有するものであり、
複数のアンテナを用いて前記複数のＯＦＤＭ信号を受信し、
前記複数のＯＦＤＭ信号の各々に含まれる前記リファレンスシンボルを用いて、各伝送路の伝送路変動を推定し、各伝送路の伝送路変動推定信号を生成し、
前記複数のＯＦＤＭ信号の各々に含まれる前記パイロットシンボルを用いて、位相歪み推定信号を生成し、
前記位相歪み推定信号を用いて、前記各伝送路の伝送路変動推定信号の位相歪みを補償するとともに、前記複数のＯＦＤＭ信号の各々の位相歪みを補償し、
位相歪みが補償された前記各伝送路の伝送路変動推定信号を要素とする行列を用いて、位相歪みが補償された前記複数のＯＦＤＭ信号に対し、逆行列演算することにより、前記複数のＯＦＤＭ信号に対応する複数のベースバンド信号を生成し、
前記パイロットシンボルを用いて、前記複数のベースバンド信号の各々の周波数オフセットを推定し補償を行い、
周波数オフセットの補償が行われた前記複数のベースバンド信号を復調し、受信データを出力する、
ＭＩＭＯ受信方法。
【請求項９】
前記パイロットシンボルは、前記データ送信区間の特定のキャリア位置に時間軸方向に連続して配置されており、
前記位相歪み推定信号の生成は、時間軸方向に変動する位相歪み推定信号を生成するものである、
請求項８記載のＭＩＭＯ受信方法。
【請求項１０】
前記位相歪み推定信号は、周波数オフセットを含む位相歪みを示す信号である、
請求項９記載のＭＩＭＯ受信方法。
【請求項１１】
プリアンブル区間は、前記リファレンスシンボルと、ＩＱ平面におけるＩ値及びＱ値がともにゼロであるガードシンボルとが、時間軸方向及び周波数軸方向に交互に配置されたものである、
請求項８乃至１０いずれか一項に記載のＭＩＭＯ受信方法。
【請求項１２】
前記複数のＯＦＤＭ信号は第１のＯＦＤＭ信号と第２のＯＦＤＭ信号を含み、
前記第１のＯＦＤＭ信号のプリアンブル区間において前記リファレンスシンボルが配置されている時間―周波数位置では、第２のＯＦＤＭ信号のプリアンブル区間において、ＩＱ平面におけるＩ値及びＱ値がゼロであるガードシンボルが配置されている、
請求項８乃至１１いずれか一項に記載のＭＩＭＯ受信方法。
【請求項１３】
前記パイロットシンボルが配置されるパイロットキャリアのキャリア位置は、前記複数のＯＦＤＭ信号の間で共通している、
請求項８乃至１２いずれか一項に記載のＭＩＭＯ受信方法。
【請求項１４】
前記複数のＯＦＤＭ信号の各々は、複数のパイロットキャリアを有し、前記複数のパイロットキャリアのキャリア位置は、前記複数のＯＦＤＭ信号の間で共通している、
請求項８乃至１３いずれか一項に記載のＭＩＭＯ受信方法。
【手続補正２】
【補正対象書類名】明細書
【補正対象項目名】発明の名称
【補正方法】変更
【補正の内容】
【発明の名称】ＭＩＭＯ受信装置及びＭＩＭＯ受信方法
【手続補正３】
【補正対象書類名】明細書
【補正対象項目名】０００１
【補正方法】変更
【補正の内容】
【０００１】
本発明は、ＭＩＭＯ受信装置びＭＩＭＯ受信方法に関する。特に、ＭＩＭＯ−ＯＦＤＭ通信における、周波数オフセット推定、伝送路変動（チャネル変動）推定、同期・信号検出のための好適なシンボルの構成を実現する技術に関する。
【手続補正４】
【補正対象書類名】明細書
【補正対象項目名】００１３
【補正方法】変更
【補正の内容】
【００１３】
本発明は、かかる点に鑑みてなされたものであり、高精度の周波数オフセット推定、高精度の伝送路変動推定、高精度の同期・信号検出を可能とするＭＩＭＯ受信装置及びＭＩＭＯ受信方法を提供することを目的とする。
【手続補正５】
【補正対象書類名】明細書
【補正対象項目名】００１４
【補正方法】変更
【補正の内容】
【００１４】
本発明のＭＩＭＯ受信装置は、空間多重送信された複数のＯＦＤＭ信号を受信するＭＩＭＯ受信装置であって、前記複数のＯＦＤＭ信号の各々は、リファレンスシンボルが配置されたプリアンブル区間と、特定のキャリア位置にパイロットシンボルが配置されたデータ送信区間とを含むフレーム構成を有するものであり、前記複数のＯＦＤＭ信号を受信する複数のアンテナと、前記複数のＯＦＤＭ信号の各々に含まれる前記リファレンスシンボルを用いて、各伝送路の伝送路変動を推定し、各伝送路の伝送路変動推定信号を生成する伝送路変動推定部と、前記複数のＯＦＤＭ信号の各々に含まれる前記パイロットシンボルを用いて、位相歪み推定信号を生成する位相歪み推定部と、前記位相歪み推定信号を用いて、前記各伝送路の伝送路変動推定信号の位相歪みを補償するとともに、前記複数のＯＦＤＭ信号の各々の位相歪みを補償する位相歪み補償部と、前記位相歪み補償部により位相補償された前記各伝送路の伝送路変動推定信号を要素とする行列を用いて、前記位相歪み補償部により位相補償された前記複数のＯＦＤＭ信号に対し、逆行列演算することにより、前記複数のＯＦＤＭ信号に対応する複数のベースバンド信号を生成する信号処理部と、前記パイロットシンボルを用いて、前記複数のベースバンド信号の各々の周波数オフセットを推定し補償を行う周波数オフセット補償部と、前記周波数オフセット補償部により周波数オフセットの補償が行われた前記複数のベースバンド信号を復調し、受信データを出力する復調部と、を具備する。
【手続補正６】
【補正対象書類名】明細書
【補正対象項目名】００１５
【補正方法】変更
【補正の内容】
【００１５】
本発明のＭＩＭＯ受信方法は、空間多重送信された複数のＯＦＤＭ信号を受信するＭＩＭＯ受信方法であって、前記複数のＯＦＤＭ信号の各々は、リファレンスシンボルが配置されたプリアンブル区間と、特定のキャリア位置にパイロットシンボルが配置されたデータ送信区間とを含むフレーム構成を有するものであり、複数のアンテナを用いて前記複数のＯＦＤＭ信号を受信し、前記複数のＯＦＤＭ信号の各々に含まれる前記リファレンスシンボルを用いて、各伝送路の伝送路変動を推定し、各伝送路の伝送路変動推定信号を生成し、前記複数のＯＦＤＭ信号の各々に含まれる前記パイロットシンボルを用いて、位相歪み推定信号を生成し、前記位相歪み推定信号を用いて、前記各伝送路の伝送路変動推定信号の位相歪みを補償するとともに、前記複数のＯＦＤＭ信号の各々の位相歪みを補償し、位相歪みが補償された前記各伝送路の伝送路変動推定信号を要素とする行列を用いて、位相歪みが補償された前記複数のＯＦＤＭ信号に対し、逆行列演算することにより、前記複数のＯＦＤＭ信号に対応する複数のベースバンド信号を生成し、前記パイロットシンボルを用いて、前記複数のベースバンド信号の各々の周波数オフセットを推定し補償を行い、周波数オフセットの補償が行われた前記複数のベースバンド信号を復調し、受信データを出力する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明によれば、高精度の周波数オフセット推定、高精度の伝送路変動推定、高精度の同期・信号検出を可能とするＭＩＭＯ受信装置及びＭＩＭＯ受信方法を実現できる。
【手続補正１２】
【補正対象書類名】明細書
【補正対象項目名】０３０３
【補正方法】変更
【補正の内容】
【０３０３】
本発明のＭＩＭＯ受信装置及びＭＩＭＯ受信方法は、例えば無線ＬＡＮやセルラ等の無線通信システムに広く適用できる。